【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
室内側に設けられた吸込口と、
室外側に設けられた吐出口と、
前記吸込口から前記吐出口までを通貫する風路と、
前記風路内に室内側から室外側へ向かう気流を発生させるファンと、
前記風路内に吸い込んだ飛翔昆虫を分離するサイクロン分離装置と、
前記サイクロン分離装置の外縁側下方において、前記サイクロン分離装置から排出される前記飛翔昆虫を集める捕集室と、
前記吸込口の外部に設けられ、前記飛翔昆虫を誘引するガスを発生させるガス発生装置と、
を備え、
前記サイクロン分離装置は、前記ファンよりも前記風路内の上流側に配置され、
前記捕集室は、前記風路から隔離されて配置していることを特徴とする換気扇。
【請求項２】
前記捕集室に溜まった前記飛翔昆虫を排出する排出手段を備えたことを特徴とする請求項１に記載の換気扇。
【請求項３】
前記排出手段は、取り出し可能な捕集皿であることを特徴とする請求項２に記載の換気扇。
【請求項４】
前記ガス発生装置は、光触媒と樹脂成分とが均等に混合された混合固体と、ガス放出口と、光源とを備え、前記光源による前記混合固体の光触媒作用を用いて前記ガス放出口から二酸化炭素を放出することを特徴とする請求項１に記載の換気扇。
【請求項５】
前記吸込口の前面に化粧パネルを備えたことを特徴とする請求項１に記載の換気扇。
【請求項６】
前記化粧パネルの前記吸込口側に設けられた流入隙間に熱源を備えたことを特徴とする請求項５に記載の換気扇。
【手続補正２】
【補正対象書類名】明細書
【補正対象項目名】０００２
【補正方法】変更
【補正の内容】
【０００２】
従来、この種の飛翔昆虫を室外へと排出する換気扇としては、吸込口付近に飛翔昆虫を誘引するための誘引部と、排気流を発生させるファンを備えた換気扇が知られている。すなわち、図７に示すように、吸込口１０１付近に誘引部１０２として光源を備え、誘引部１０２に近付いた飛翔昆虫を、風路内のモーター１０３およびファン１０４を用いて発生させた気流で風路内に吸込み、室外へと排出する換気扇であった（例えば、特許文献１参照）。
【手続補正３】
【補正対象書類名】明細書
【補正対象項目名】０００４
【補正方法】変更
【補正の内容】
【０００４】
このような従来の飛翔昆虫を排出する換気扇では、風路内に備えられた回転中のファンに飛翔昆虫が衝突することで、飛翔昆虫の死骸がファン表面に付着して頻繁にメンテナンスを行う必要があった。また、飛翔昆虫の死骸や体液が風路や開口部（吸込口等）付近に飛散して汚染されるという課題があった。
【手続補正４】
【補正対象書類名】明細書
【補正対象項目名】０００６
【補正方法】変更
【補正の内容】
【０００６】
この目的を解決するために、本発明に係る換気扇は、室内側に設けられた吸込口と、室外側に設けられた吐出口と、吸込口から吐出口までを通貫する風路と、風路内に室内側から室外側へ向かう気流を発生させるファンと、風路内に吸い込んだ飛翔昆虫を分離するサイクロン分離装置と、サイクロン分離装置の外縁側下方において、サイクロン分離装置から排出される飛翔昆虫を集める捕集室と、吸込口の外部に設けられ、飛翔昆虫を誘引するガスを発生させるガス発生装置と、を備え、サイクロン分離装置は、をファンよりも風路内の上流側に配置され、捕集室は、風路から隔離して配置されていることを特徴とするものであり、これにより所期の目標を達成するものである。
【手続補正５】
【補正対象書類名】明細書
【補正対象項目名】０００７
【補正方法】変更
【補正の内容】
【０００７】
本発明に係る換気扇によれば、風路内に設けられたファンの上流側にサイクロン分離装置を設置したことにより、吸込口へ捕集した飛翔昆虫をファンに到達するよりも前に風路外へと排出することができ、ファンに衝突する飛翔昆虫の数を削減することができるため、換気扇内の飛翔昆虫の死骸や体液による汚れを大幅に抑制することができる。
【手続補正６】
【補正対象書類名】明細書
【補正対象項目名】０００９
【補正方法】変更
【補正の内容】
【０００９】
【図１】本発明の実施の形態１に係る換気扇を示す側面断面図
【図２】同換気扇を室内側から見た斜視図
【図３】同換気扇内に備えたサイクロン分離装置の斜視図
【図４】本発明の実施の形態２に係る換気扇を示す側面断面図
【図５】本発明の実施の形態３に係る換気扇を示す側面断面図
【図６】同換気扇を示す斜視図
【図７】従来の飛翔昆虫排出換気扇を示す側面断面図
【手続補正７】
【補正対象書類名】明細書
【補正対象項目名】００１０
【補正方法】変更
【補正の内容】
【００１０】
本発明に係る換気扇は、室内側に設けられた吸込口と、室外側に設けられた吐出口と、吸込口から吐出口までを通貫する風路と、風路内に室内側から室外側へ向かう気流を発生させるファンと、風路内に吸い込んだ飛翔昆虫を分離するサイクロン分離装置と、サイクロン分離装置の外縁側下方において、サイクロン分離装置から排出される前記飛翔昆虫を集める捕集室と、吸込口の外部に設けられ、飛翔昆虫を誘引するガスを発生させるガス発生装置と、を備え、サイクロン分離装置は、をファンよりも風路内の上流側に配置され、捕集室は、風路から隔離して配置されている構成を有する。
【手続補正８】
【補正対象書類名】明細書
【補正対象項目名】００１２
【補正方法】変更
【補正の内容】
【００１２】
また、本発明に係る換気扇は、捕集室に溜まった飛翔昆虫を排出する排出手段を備えた構成にしてもよい。
【手続補正９】
【補正対象書類名】明細書
【補正対象項目名】００１４
【補正方法】変更
【補正の内容】
【００１４】
また、本発明に係る換気扇では、排出手段は、取り出し可能な捕集皿という構成にしてもよい。
【手続補正１０】
【補正対象書類名】明細書
【補正対象項目名】００１６
【補正方法】変更
【補正の内容】
【００１６】
また、本発明に係る換気扇では、ガス発生装置は、光触媒と樹脂成分とが均等に混合された混合固体と、ガス放出口と、光源とを備え、光源による混合固体の光触媒作用を用いてガス放出口から二酸化炭素を放出する構成にしてもよい。
【手続補正１１】
【補正対象書類名】明細書
【補正対象項目名】００１８
【補正方法】変更
【補正の内容】
【００１８】
また、本発明に係る換気扇は、吸込口の前面に化粧パネルを備えた構成にしてもよい。
【手続補正１２】
【補正対象書類名】明細書
【補正対象項目名】００２０
【補正方法】変更
【補正の内容】
【００２０】
また、本発明に係る換気扇は、化粧パネルの吸込口側に設けられた流入隙間に熱源を備えた構成にしてもよい。
【手続補正１３】
【補正対象書類名】明細書
【補正対象項目名】００２６
【補正方法】変更
【補正の内容】
【００２６】
吸込口３は部屋の室内側に、吐出口４は室外側に配置されている。換気扇１の前面において、パネル２を備え、吸込口３を配置している。
【手続補正１４】
【補正対象書類名】明細書
【補正対象項目名】００４２
【補正方法】変更
【補正の内容】
【００４２】
図６に示すように換気扇１は、パネル２に接続受け部２５を設け、接続受け部２５に対応させて接続部２７を備えた化粧パネル２６を備えている。化粧パネル２６は、パネル２の前面側に配置されている。接続部２７を換気扇本体との流入隙間を確保できる大きさとして接続受け部２５に接続することで、吸込口３の上流側の前面で、化粧パネル２６はパネル２に対して所定の距離をおいて配置し換気扇１を構成するものである。
【手続補正１５】
【補正対象書類名】明細書
【補正対象項目名】００４３
【補正方法】変更
【補正の内容】
【００４３】
上記構成において、接続部２７と接続受け部２５により化粧パネル２６とパネル２との間に流入隙間２８を形成でき、換気扇１の吸込風速を大きくすることができる。これにより換気扇１による飛翔昆虫の吸込能力が向上し、より遠方を飛行している飛翔昆虫まで吸込むことが可能になる。また、化粧パネル２６により換気扇内部が見えないフラットな外観となるため、インテリア性が向上する。
【手続補正１６】
【補正対象書類名】明細書
【補正対象項目名】００４４
【補正方法】変更
【補正の内容】
【００４４】
また、図５に示すように換気扇１は、パネル２の一部に熱源２９を備えている。なお、熱源２９は、熱源２９を流入隙間２８付近または流入隙間２８の内部に配置されていれば、化粧パネル２６の裏側に配置されていてもよい。